(57)【特許請求の範囲】
【請求項１】
開口部を有する容器本体と、前記開口部に装着する蓋体と、前記蓋体の上部に回動自在に取り付けたカバー部材とを備え、
前記蓋体は、吸飲するためのストロー部と、
容器本体内部の通気孔及び当該通気孔を開閉するための通気弁を有し、
前記カバー部材は、前記蓋体の上部を閉じた状態で、ストロー部を閉塞するためのストロー押え部と、当該カバー部材の回動に伴って回動する回動作用部とを有し、
前記回動作用部は、前記カバー部材が閉じた状態で通気弁を閉の状態にする第１作用部と、カバー部材が全開の状態で通気弁を閉の状態にする第２作用部を有し、
前記通気弁は、前記蓋体に着脱自在に装着した基部と、当該基部の上部から前記通気孔の上部に所定の隙間を介して位置する舌状の弾性片からなる弁体を有し、前記回動作用部は蓋体に設けた左右一対の軸着部の間に枢着したカバー部材側の左右一対の軸部の間に設けてあり、
前記第１作用部及び第２作用部は、前記回動作用部の外周面からそれぞれ突設した突状形状であり、
前記突状形状の第１作用部及び第２作用部が前記舌状の弁体を上部から下方に向けて直接押圧し、前記通気孔を閉の状態にするものであり、前記第１作用部は、カバー部材が開き始め、ストロー部が開放される前に通気孔を開くものであり、
前記カバー部材が通気孔を開き、ストロー部が閉塞状態の時に一旦前記カバー部材の回動が停止するように前記蓋体側の軸着部に設けた小突起と当該小突起に対応したカバー部材側の小突起を有することを特徴とする飲料容器。
【発明の詳細な説明】
【技術分野】
【０００１】
本発明は、吸飲ストロー付きの飲料容器に関する。
【背景技術】
【０００２】
従来から液体飲料を入れる容器本体の開口部に蓋体を取り付け、この蓋体を貫通させてストロー部を設けるとともに、カバー部材の閉によりストロー部を閉塞状態に収納し、開によりストロー部を露出し、吸飲できるようにしたものが知られている。
この場合に比較的温かい液体飲料を容器本体に入れてカバー部材を閉じ、ストロー部を閉塞状態にしてあると内圧が上昇し、カバー部材を開きストロー部を露出させると、その際に飲料がストロー部から噴出する恐れがある。
特許文献１には、ストロー部をカバー部材で閉塞収納するものではないが、温かい飲料による内圧上昇を防止する目的でベース部材の上部に設けた軸受け部に通気目的の貫通孔を設けるとともに、蓋体（カバー部材）と接続された回動基部で蓋体の閉止状態と、この蓋体が完全に開いた状態との両方において貫通孔を塞ぐものが開示されている。
これにより、容器の内圧上昇を防止するとともに、蓋体が閉と全開の状態において容器本体が傾いても飲料が漏れないという利点がある。
しかし、これでは蓋体を全開にして吸飲していると容器内が負圧になり、吸飲が困難になる恐れがある。
また、軸受け部に沿って摺接する回動基部の回転により貫通孔を開閉するものであり、回動基部及び軸受け部の摩耗やキズにより、シール性が不完全となったり、洗浄が大変である課題があった。
特許文献２には、カバー部材にて通気孔を塞ぐ形態が開示されている。
しかし、同公報における通気孔の開閉構造は、通気孔を塞ぐ通気部材を弾性部材で開方向又は閉方向に付勢したものであり、部品点数が多い。
したがって、洗浄しにくい，組み立てにくい，部品が無くなりやすい等の問題があった。
【先行技術文献】
【特許文献】
【０００３】
【特許文献１】特許第４３２７０５２号公報
【特許文献２】特開２００４−４２９８２号公報
【発明の概要】
【発明が解決しようとする課題】
【０００４】
本発明は、カバー部材の開閉に応じて通気弁の開閉が可能であり、構造が簡単で洗浄が容易な飲料容器の提供を目的とする。
【課題を解決するための手段】
【０００５】
本発明に係る飲料容器は、開口部を有する容器本体と、前記開口部に装着する蓋体と、前記蓋体の上部に回動自在に取り付けたカバー部材とを備え、前記蓋体は、吸飲するためのストロー部と、容器本体内部の通気孔及び当該通気孔を開閉するための通気弁を有し、前記カバー部材は、前記蓋体の上部を閉じた状態で、ストロー部を閉塞するためのストロー押え部と、当該カバー部材の回動に伴って回動する回動作用部とを有し、前記回動作用部は、前記カバー部材が閉じた状態で通気弁を閉の状態にする第１作用部と、カバー部材が全開の状態で通気弁を閉の状態にする第２作用部を有し、前記通気弁は、前記蓋体に着脱自在に装着した基部と、当該基部の上部から前記通気孔の上部に所定の隙間を介して位置する舌状の弾性片からなる弁体を有することを特徴とする。
【０００６】
ここで、通気弁を構成する弁体は軟質材で成形されているとともに、前記ストロー部あるいは他の軟質部材と一体的に成形されていてもよい。
他の軟質部材とは、弁体以外の軟質部材をいい、ストロー部の他に、蓋体と容器本体との間のパッキン部材，逆止弁部等が例として挙げられる。
また、弁体は前記蓋体の裏面側から挿入し、前記通気孔の上部に配置されているようにしてもよい。
【０００７】
本発明において、第１作用部及び第２作用部は、回動作用部の外周面から突設した凸形状であり、前記弁体を通気孔に向けて押圧することで当該通気孔を閉の状態にするものであり、前記第１作用部は、カバー部材が開き始め、ストロー部が開放される前に通気孔を開くものであり、前記カバー部材が通気孔を開き、ストロー部が閉塞状態の時に一旦前記カバー部材の回動が停止するものであってもよい。
このようにすると、上昇した内圧を充分に逃がすことができる。
【発明の効果】
【０００８】
本発明に係る飲料容器は、カバー部材の回動に応じて弁体を押圧し、通気孔の開閉を行うので構造が簡単である。
【図面の簡単な説明】
【０００９】
【図１】カバー部材を全開した状態の本発明に係る飲料容器の断面図を示す。
【図２】（ａ）はカバー部材が閉じた状態、（ｂ）は開き始めた状態、（ｃ）は全開状態を示す。
【図３】（ａ）は通気弁の外観図、（ｂ）は蓋体の裏側から見た通気弁、（ｃ）はカバー部材を全開した状態の外観図を示す。
【図４】図３のＡ−Ａ線断面図を示す。
【発明を実施するための形態】
【００１０】
本発明に係る飲料容器の構造例を図面に基づいて説明するが、本発明はこれに限定されない。
【００１１】
図１に本発明に係る飲料容器のカバー部材が全開した状態の断面図を示し、図３（ｃ）に上部外観図を示す。
飲料容器は、開口部を有する容器本体１０と、この開口部に着脱自在に装着可能な蓋体２０を有し、この蓋体の上部側に取り付けた回動自在のカバー部材３０を有する。
本実施例では、容器本体の開口部外周におねじ部を形成し、蓋体２０の内側に設けためねじ部と螺合する例になっている。
また、容器本体の上部に段差部を形成し、両側に取手６１が付いたリング状のハンドリング部材６０を装着し、蓋体２０の螺着により容器本体１０の段差部に装着できるようになっている。
【００１２】
蓋体２０は樹脂成形品であり、ストロー部４０の装着部２３，通気弁５０の取付部２４及び上下方向に貫通した通気孔２５を有する。
また、逆止弁４４を取り付け、これを連通させる連通孔４４ａを有する。
本実施例では、ストロー部４０と逆止弁４４をシリコーンゴム等のゴム弾性を有する軟質材を用いて一体成形してあり、溝状の係着部４２と蓋体２０の装着部２３とで着脱自在に装着でき、連通孔４４ａに逆止弁４４を弾性装着する。
ストロー部４０は吸飲孔４１を有し、下部側に筒状のストロー取付部４３を設けることで、このストロー取付部４３の内側にストロー４０ａを着脱自在に差し込むことができる。
逆止弁４４は、下側に向けて半球状の凹部形状になっており、球面に沿ってスリット４４ｂを入れてある。
通常はスリット４４ｂの間が弾性密着しており、容器本体１０の内部が負圧になるとスリット４４ｂが開き、外部から空気が内部に通気するが、内部からはスリット４４ｂが閉じる方向に押圧されるので、飲料の外部への漏れが防止される。
【００１３】
通気弁５０は、図３（ａ）に示すように蓋体２０に設けた孔状の取付部２４に弾性装着するための基部５２と、この基部５２の上部から舌状に張り出した弾性片からなる弁体５１を有する側面視で略Ｌ字形状となっている。
この通気弁もシリコンゴム等の軟質材で成形してある。
通気弁５０は、上部から後述するカバー部材３０の回動作用部にて押圧されない、例えば図２（ｂ）に示した状態では、蓋体２０に設けた通気孔２５の上端部と所定の隙間が形成されるように、この通気孔２５の上部に弁体５１が位置している。
ここで弁体は、ストロー部や、蓋体と容器本体との間のパッキン部材，逆止弁部等、他の部材と一体的に成形してもよい。
また、弁体は蓋体２０の裏面側から挿入し、基部５２を蓋体２０に装着する。
【００１４】
カバー部材３０は、図３（ｃ）に示すように蓋体２０の一方の端部に回動自在に取り付けられている。
本実施例では、蓋体２０の上面から左右一対の軸着部２１を突設してある。
一方、カバー部材３０側に設けた一対の取付凹部３１ａの対向する外側の内側壁３１ｂから横方向に突出させた軸部３１が対向して一対形成してある。
この左右一対の軸部３１を蓋体２０の軸着部２１の内側（ストロー部側）の側部に形成した枢着溝部２１ａから挿入し、軸着部２１に対して回動自在に枢着してある。
また、一対の軸着部２１の間に位置し、カバー部材３０の開閉により回動する回動作用部３２をカバー部材の回動基部側に形成してある。
この回動作用部３２には、図２（ａ）に示すようにカバー部材３０が蓋体２０に対して閉じた状態のときに弁体５１を上部から下方に向けて押圧する突状の第１作用部３２ａと、図２（ｃ）に示すようにカバー部材３０が全開した状態のときに弁体５１を上部から下方向に向けて押圧する突状の第２作用部３２ｂとを有する。
第１作用部３２ａ又は第２作用部３２ｂにて弁体５１を上部から押圧した状態では、弁体５１の下面が通気孔２５の上部を塞ぐ状態になる。
【００１５】
また、カバー部材３０の回動基部とは反対側にカバー部材を閉じると、ストロー部を側部から屈曲するように押え込むためのストロー押え部３３を形成してある。
本実施例では、ストロー部４０が屈曲し、吸飲孔４１が閉塞しやすいように蓋体２０側にリブ２７を立設してあり、カバー部材３０側には、ストロー部４０の先端部に当接するリブ壁３４を設けた例になっている。
このような構造にしたことにより、図２（ａ）に示すようにカバー部材３０が閉じ、ストロー部４０が閉塞され、容器本体１０の内部圧が上昇していても、図２（ｂ）に示すようにカバー部材３０を開き始めると、ストロー部４０の吸飲孔４１が開放される前に第１作用部３２ａが弁体５１の押圧を解除する方向に回動し、通気孔２５から内部圧が逃げ、ストロー部４０から飲料が噴出するのを防止できる。
さらにカバー部材３０が開き、カバー部材３０の回動基部付近の上面が蓋体２０の側端部２８に当接した全開状態になると、第２作用部３２ｂが弁体５１を上部から押圧し、通気孔２５が塞がれる。
これにより、カバー部材３０が全開のときに容器が傾いても飲料が通気孔２５から漏れることはなくなる。
また、カバー部材が開き始め、第１作用部３２ａが弁体５１の押圧を解除するが、ストロー部４０の吸飲孔４１を開放する前にカバー部材の回動が一旦止まるように、図４に図３，Ａ−Ａ線断面を示したように蓋体の軸着部２１側に小突起２１ｂを設け、カバー部材側にも対応した小突起３６を設けてある。
カバー部材３０は、この小突起を越えるとさらに開く。
【００１６】
本実施例では、カバー部材３０が閉じた状態をロックできるように蓋体２０にロック部材７０を取り付けてある。
ロック部材７０は、中央部を蓋体２０に軸部７１を介して軸着したり、上部にロック爪部７１がカバー部材側に前進する方向にスプリング７３にて付勢してある。
これにより、カバー部材３０が閉じた状態では、図２（ａ）に示すようにロック爪部７１がカバー部材３０の先端部の被係止部３５に係止し、操作部７４を押圧するとロックが解除される。
【符号の説明】
【００１７】
１０      容器本体
２０      蓋体
２１      軸着部
２５      通気孔
３０      カバー部材
３１      軸部
３２      回動作用部
３２ａ    第１作用部
３２ｂ    第２作用部
３３      ストロー押え部
４０      ストロー部
４０ａ    ストロー
４４      逆止弁
５０      通気弁
５１      弁体
【図１】
0006573314.tif 000002
【図２】
0006573314.tif 000003
【図３】
0006573314.tif 000004
【図４】
0006573314.tif 000005